(57)【要約】【課題】  時計のカレンダー機構、特に月末無修正機構において、日送り動作の安定性を高める。【解決手段】  日板１の歯部１０、３０日目凹部１ｂ、１日目凹部１ｃをそれぞれ内径上の異なる階層に形成すると共に、日送り動作に係わる主な構成を１階層目と２階層目にまとめて配置し、月送り動作に係わる主な構成を３階層目と４階層目にまとめて配置する。具体的には、１階層目に日送り爪１１、日板１の歯部１０、２階層目に日送り爪１１のボス１１ａ、小月検出レバー２３の３０日目検出部２３ｄおよび日送り爪規制部２３ｃ、日板１の３０日目凹部１ｂ、３階層目に月送り爪１５ａ、１日目検出レバー８の１日目検出部８ｂおよび月送り爪規制部８ｃ、日板１の１日目凹部１ｃ、４階層目に月送り爪１５ａのボス１５ｂ、月星車２の歯部１３、小月検出レバー２３の小月検出部２３ｂを配置した構成とする。【選択図】      図１
2005195370.tif 000002
【特許請求の範囲】
【請求項１】
少なくとも、筒車からの回転を受け１日に１回転する日回し車と、当該日回し車に設けられた、日板を送る日送り爪と、前記日回し車と同期して回転する月回し車と、当該月回し車に設けられた、月板を送る月送り爪と、前記日板の３０日目を検出する３０日目検出手段と、前記月板の小の月を検出する小月検出手段と、前記３０日目検出手段が３０日目を検出した事、及び前記小月検出手段が小の月を検出した事に基づき、前記日送り爪が前記日板へ係合するのを規制する日送り爪規制手段と、前記日板の１日目を検出する１日目検出手段と、当該１日目検出手段が１日目を検出した事に基づき、前記月回し爪が前記月板へ係合するのを規制する月送り爪規制手段と、を備えた時計のカレンダー機構において、前記日板の内径上には、日板の３０日目を検出するための３０日目凹部と、１日目を検出するための１日目凹部と、日送り時に前記日送り爪が係合する歯部とが、前記日回し車の軸方向のそれぞれ異なる階層に段階的に形成されている事を特徴とする時計のカレンダー機構。
【請求項２】
前記時計のカレンダー機構の各構成部材は層状に配置されており、前記日回し車の回転軸を保持する地板に隣接する側を１階層目として、少なくとも、
前記日送り爪と、前記日板の歯部とを１階層目に設け、
前記日送り爪に設けられたボスと、前記日送り爪規制手段である小月検出レバーの３０日目検出部および日送り爪規制部と、前記日板の３０日目凹部とを２階層目に設け、
前記月送り爪と、前記１日目検出手段である１日目検出レバーの１日目検出部および月送り爪規制部と、前記日板の１日目凹部とを３階層目に設け、
前記月送り爪に設けられたボスと、月星車の歯部と、前記小月検出レバーの小月検出部とを４階層目に設けた事を特徴とする請求項１記載の時計のカレンダー機構。
【請求項３】
少なくとも、前記月回し車の一部と、前記１日目検出レバーの一部は、前記日回し車を裏側で支持する裏板と、前記日板を表側から押圧する押え部材とで挟持されている事を特徴とする請求項２記載の時計のカレンダー機構。
【請求項４】
少なくとも、前記日回し車の一部と、前記月回し車の一部は、前記日回し車の回転軸を軸受けする地板と、前記日板を表側から押圧する押え部材とで挟持されている事を特徴とする請求項２記載の時計のカレンダー機構。
【請求項５】
前記日回し車と前記月回し車との間には、前記小月検出レバーの一部が挟持されている事を特徴とする請求項４記載の時計のカレンダー機構。
【発明の詳細な説明】
【技術分野】
【０００１】
本発明は、時計のカレンダー機構に関する。
【背景技術】
【０００２】
指針表示式時計のカレンダー機構、特に月末無修正機構については、従来より各種提案されており、その１つとして、指針表示式時計にカレンダー機構を機械的な構成として組み込んだものがある。（特許文献１、特許文献２参照）
【０００３】
図５は、従来の時計のカレンダー機構を示す図で、（ａ）は、平面図、（ｂ）は、要部断面図である。図６は、図５の要部拡大図で、（ａ）は、月送り爪の規制に関する構成と１日目の検出に関する構成を示す図、（ｂ）は、３０日目の検出に関する構成を示す図、（ｃ）は、月送りに関する構成を示す図、である。また、図７、図８は、図５の要部拡大図で、図７（ａ）は、大の月における日送り動作を示す図、図７（ｂ）は、小の月における日送り動作を示す図、図８（ａ）は、１日目以外における月送り動作を示す図、図８（ｂ）は、１日目における月送り動作を示す図である。以下、図５〜図８を参照し、従来の時計のカレンダー機構に係る日送り動作及び月送り動作の概略について説明する。中央部には筒車３が設けられており、当該筒車３の回転は、日回し車４に伝えられ、回転軸９を中心として２４時間で１回転する様に減速されている。前記日回し車４の一部は、日板１に設けられた歯部１０を送る日送り爪１１となっており、日回し車４を含めプラスチック等の弾性部材で構成されている。また、前記日回し車４には月回し車５が係合されており、日回し車４と同期して回転するように保持されている。この月回し車５の一部は、月星車２に設けられた歯部１３を送る月送り爪１２となっており、月回し車５を含めプラスチック等の弾性部材で構成されている。即ち、当該月送り爪１２が筒車３に回転可能に保持された月星車２の歯部１３を送る事により、結果として月板１４を月１回送る構成となっている。
【０００４】
６は小月検出レバーであり、軸６ａを中心として回動可能に軸支されている。小月検出レバー６の一端である小月検出部６ｂは、前記月星車２の歯底部２ａ、又は歯底部２ｂに係合する。歯底部２ａは、大の月、つまり１、３、５、７、８、１０、１２月に対応する部分であり、歯底部２ｂは、小の月、つまり２、４、６、９、１１月に対応する部分である。そして、歯底部２ｂは、歯底部２ａより深く切れ込んだ形状となっている。
【０００５】
また、前記小月検出レバー６の他端は、日送り爪規制部６ｃとなっており、日送り爪１１に設けられたボス１１ａと接触し、日送り爪１１を撓ませる事により日送り動作を規制する。
【０００６】
７は３０日目検出レバーであり、軸７ａを中心として回動可能に軸支されている。３０日目検出レバー７の一端である３０日目検出部７ｂは、前記日板１の内径部１ａ、又は３０日目凹部１ｂに係合する。ここで、内径部１ａは３０日目以外に対応する部分であり、３０日目凹部１ｂは３０日目に対応する部分である。
【０００７】
また、前記３０日目検出レバー７の他端は、小月検出レバー規制部７ｃとなっており、小月検出レバー６と接触し、ボス１１ａを介して日送り爪１１を撓ませる事により日送り動作を規制する。
【０００８】
８は１日目検出レバーであり、軸８ａを中心として回動可能に軸支されている。１日目検出レバー８の一端である１日目検出部８ｂは、前記日板１の内径部１ａ、又は１日目凹部１ｃに係合する。ここで、内径部１ａは１日目以外に対応する部分であり、１日目凹部１ｃは１日目に対応する部分である。
【０００９】
また、前記１日目検出レバー８の他端は、月送り爪規制部８ｃとなっており、月送り爪１２に設けられたボス１２ａと接触し、月送り爪１２を撓ませる事により月送り動作を規制する。
【００１０】
ここで、図７（ａ）を参照し、大の月における日送り動作について説明する。大の月において、小月検出レバー６の小月検出部６ｂは、月星車２の歯底部２ａに接触している。歯底部２ａは、切れ込みが浅い形状をしており、その接触位置より小月検出レバー６が右回りに回動する事はない。この時、小月検出レバー６の他端である日送り爪規制部６ｃは、図中の位置にあり、日送り爪１１を、ボス１１ａを介して日回し車４の回転軸９方向に撓ませる。これにより、日板１の前方の歯部１０ａは、日送り爪１１とは係合せず空送りされる事となり、後方の歯部１０ｂのみが送られる事となる。言い換えると、日送り爪１１は、大の月の場合は全て、日付を１日分、つまり歯部を１歯しか送らない構成となっている。
【００１１】
また、３０日目検出レバー７は、小月検出レバー６の日送り時における動作を規制するものであるが、大の月における日送り動作には、特に影響を及ぼさない。
【００１２】
次に、図７（ｂ）を参照し、小の月における日送り動作について説明する。小の月においては、前記小月検出部６ｂが月星車２の歯底部２ｂに接触している。歯底部２ｂは、歯底部２ａより深く切れ込んだ形状をしているため、その分小月検出レバー６の右回りの回動範囲が広くなる。しかし、３０日目以外においては、３０日目検出レバー７の３０日目検出部７ｂが日板１の内径部１ａに接触しており（図中点線で示す状態）、小月検出レバー６は、それ以上右回りに回動しない様、日回し車４の回転軸９方向に規制されている。そのため、この状態では、小月検出部６ｂは、歯底部２ｂに接触しておらず、小月検出レバー６には、その分回動の余力が残っている。つまり、前記状態は、大の月における日送り動作時と同じ状態であり、日送り動作時には、歯部１０ｂのみを送るようになっている。
【００１３】
以上のように、３０日目以外は、大の月と同様に１歯ずつ送る日送り動作を行うわけである。しかし、日板１の回転が進み、３０日目になると、前記３０日目検出レバー７は、日板１に形成された３０日目検出用の３０日目凹部１ｂに落ち込んだ状態（図中実線で示す状態）となり、小月検出レバー６に対する規制力が弱まる。これにより、前記小月検出レバー６は、図中点線の位置から実線の位置に回動する事となり、日送り爪１１に対する規制力が弱まり、日送り爪１１の撓みが小さくなる。その結果、大の月、及び小の月の３０日目以外においては空送りしていた前方の歯部１０ａに日送り爪１１が係合し、日付を２日分、つまり歯部を２歯送る事となる。言い換えると、日送り爪１１は、小の月であり、尚且つ３０日目の場合においてのみ、歯部を２歯送る構成となっている。
【００１４】
次に、図８（ａ）を参照し、１日目以外における月送り動作について説明する。１日目以外において、１日目検出レバー８の一端である１日目検出部８ｂは、日板１の内径部１ａに接触している。そのため、その接触位置より１日目検出レバー８が右回りに回動する事はない。この時、１日目検出レバー８の他端である月送り爪規制部８ｃは、図中の位置にあり、月送り爪１２を、ボス１２ａを介して月回し車５の回転軸９方向に撓ませる。これにより、月星車２の歯部１３は、月送り爪１２とは係合せず空送りされる事となる。言い換えると、月送り爪１２は、１日目以外の場合は全て、月星車２を送らない構成となっている。
【００１５】
次に、図８（ｂ）を参照し、１日目における月送り動作について説明する。１日目において、１日目検出レバー８の一端である１日目検出部８ｂは、日板１の１日目凹部１ｃに入り込む状態（図中実線で示す状態）となっている。つまり、１日目検出レバー８は、凹部の分だけ右回りの回動範囲が広くなり、図中点線の位置から実線の位置に回動する。これにより、１日目検出レバー８の月送り爪１２に対する規制力が弱まり、月送り爪１２の撓みが少なくなる。その結果、１日目以外においては空送りしていた月星車２の歯部１３に月送り爪１２が係合し、月星車２を１歯分送る事となる。言い換えると、月送り爪１２は、１日目の場合のみ月星車２を送る事で月表示が次月になる。
【００１６】
以上のように月送り動作においては、月送り爪１２は、１日目の場合のみ月星車２を送る事で月表示が次月となり、１日目以外の場合は月星車２を送らず月表示が変わらない構成となっている。
【００１７】
以上説明した従来の時計のカレンダー機構においては、１階層目に１日目検出レバー８の月送り爪規制部８ｃ、月送り爪１２のボス（ボス先端部）１２ａ、２階層目に小月検出レバー６の日送り爪規制部６ｃ、３０日目検出レバー７の３０日目検出部７ｂ、日送り爪１１のボス１１ａ、１日目検出レバー８の１日目検出部８ｂ、日板１の３０日目凹部１ｂ、１日目凹部１ｃ、３階層目に日送り爪１１、日板１の歯部１０、４階層目に月送り爪１２、月星車２の歯部１３、小月検出レバー６の小月検出部６ｂが配置されている。特に、日板１の内径上には、日送り動作時に日送り爪１１が係合する歯部１０、３０日目検出時に３０日目検出部７ｂが係合する３０日目凹部１ｂ、１日目検出時に１日目検出部８ｂが係合する１日目凹部１ｃの３種類が形成されており、それぞれの階層については、３０日目凹部１ｂおよび１日目凹部１ｃが同階層の２階層目、日板の歯部１０が３階層目となっている。
【００１８】
【特許文献１】特開昭６３−３１３０８９号公報（第２−５頁、第１−４図）
【特許文献２】特開平８−４３５４７号公報（第３−６、第１−１１図）
【発明の開示】
【発明が解決しようとする課題】
【００１９】
従来の時計のカレンダー機構においては、以下に記載する問題点がある。まず、３０日目凹部１ｂと１日目凹部１ｃは、日板内径の同一周回上に形成されているため、３０日目検出部が１日目凹部に落ち込んだり、１日目検出部が３０日目凹部に落ち込むことにより、互いの日送り動作や月送り動作に影響を及ぼさないよう、それぞれの形成位置には位相差を持たせてある。しかし、これには、３０日目検出レバー７と１日目検出レバー８の形状や動作の精度、及び３０日目凹部１ｂと１日目凹部１ｃの形状の精度が要求される上、３０日目凹部１ｂと１日目凹部１ｃを、お互いが影響を及ぼさない形状にする必要があるため、設計的な余裕を持たせられず、結果的に日送り、月送り動作が不安定になることがあった。
【００２０】
また、月送り爪１２とボス１２ａの先端部とが断面的に離れた位置関係となっているため、月送り爪規制部８ｃがボス１２ａを介して月送り爪１２を撓ませる時、月送り爪１２及びボス１２ａが捩れてしまい、回転軸９方向への撓み量が少なくなり、月送り爪の先端が月星車の歯部１３と係合してしまい、本来ならば月星車を送らない空送り動作になるはずが、送る動作をしてしまう。
【００２１】
月送り爪１２及びボス１２ａの捩れにより少なくなる撓み量を確保する対策案の１つとしては、月送り爪規制部８ｃによる規制量の増加が考えられる。しかし、規制量を増加させると、月送り爪の撓みが大きくなるため、月送り爪の変形や負荷の増加となり、カレンダー動作（日送り、月送り動作）の安定性が損なわれるだけでなく、電池寿命も低下してしまう。
【００２２】
また、捩れが生じないように、月送り爪１２を押え部材等により上下から抑え込む対策案も考えられるが、従来の構成ではそのスペースがなく、新たに押え部材等を追加するとなるとＭＶ（ムーブメント）自体が厚くなってしまい商品の魅力が落ちてしまう。
【００２３】
本発明は、上記問題点を鑑みてなされたものであり、時計のカレンダー機構、特に月末無修正機構における日送り及び月送り動作の安定性を高めた時計のカレンダー機構を提供する事を目的とする。
【課題を解決するための手段】
【００２４】
少なくとも、筒車からの回転を受け１日に１回転する日回し車と、当該日回し車に設けられた、日板を送る日送り爪と、前記日回し車と同期して回転する月回し車と、当該月回し車に設けられた、月板を送る月送り爪と、前記日板の３０日目を検出する３０日目検出手段と、前記月板の小の月を検出する小月検出手段と、前記３０日目検出手段が３０日目を検出した事、及び前記小月検出手段が小の月を検出した事に基づき、前記日送り爪が前記日板へ係合するのを規制する日送り爪規制手段と、前記日板の１日目を検出する１日目検出手段と、当該１日目検出手段が１日目を検出した事に基づき、前記月回し爪が前記月板へ係合するのを規制する月送り爪規制手段と、を備えた時計のカレンダー機構において、前記日板の内径上には、日板の３０日目を検出するための３０日目凹部と、１日目を検出するための１日目凹部と、日送り時に前記日送り爪が係合する歯部とが、前記日回し車の軸方向のそれぞれ異なる階層に段階的に形成されている時計のカレンダー機構とする。
【００２５】
前記時計のカレンダー機構の各構成部材は層状に配置されており、前記日回し車の回転軸を保持する地板に隣接する側を１階層目として、少なくとも、
前記日送り爪と、前記日板の歯部とを１階層目に設け、
前記日送り爪に設けられたボスと、前記日送り爪規制手段である小月検出レバーの３０日目検出部および日送り爪規制部と、前記日板の３０日目凹部とを２階層目に設け、
前記月送り爪と、前記１日目検出手段である１日目検出レバーの１日目検出部および月送り爪規制部と、前記日板の１日目凹部とを３階層目に設け、
前記月送り爪に設けられたボスと、月星車の歯部と、前記小月検出レバーの小月検出部とを４階層目に設けた時計のカレンダー機構とする。
【００２６】
少なくとも、前記月回し車の一部と、前記１日目検出レバーの一部は、前記日回し車を裏側で支持する裏板と、前記日板を表側から押圧する押え部材とで挟持されている時計のカレンダー機構とする。
【００２７】
少なくとも、前記日回し車の一部と、前記月回し車の一部は、前記日回し車の回転軸を軸受けする地板と、前記日板を表側から押圧する押え部材とで挟持されている時計のカレンダー機構とする。
【００２８】
前記日回し車と前記月回し車との間には、前記小月検出レバーの一部が挟持されている時計のカレンダー機構とする。
【発明の効果】
【００２９】
本発明によれば、日板の３０日目凹部と１日目凹部とが互いに別階層に形成されるため、それぞれの凹部を３０日目検出動作、及び１日目検出動作に対して最適、且つ余裕を持った形状にする事ができるので、各検出動作の安定性が向上し、結果的に日送り、月送り動作の安定性を高める事ができる。
【００３０】
また、従来のように日送り動作、又は月送り動作が行われて日板が回転する際に、３０日目検出レバーの３０日目検出部が日板の１日目凹部に落ち込んだり、それとは逆に１日目検出レバーの１日目検出部が３０日目凹部に落ち込むことがなく、安定した日送り、月送り動作が可能となる。
【００３１】
また、日送り爪、及び月送り爪の各荷重点（ボス先端部）をそれぞれの各作用点（日送り、月送り爪）寄りに配置し、更に日送り爪、及び月送り爪を隣接する構成部材で上下から挟み込むことにより、日送り爪、及び月送り爪の捩れを防止し、撓み量を確保する事が出来るため、結果として日送り、月送り動作の安定性を高める事が出来る。
【発明を実施するための最良の形態】
【００３２】
図１は、本発明の一実施例である時計のカレンダー機構を示す平面図であり、図２は、その要部断面図で（ａ）主に日送り動作に係わる構成を示す図、（ｂ）主に月送り動作に係わる構成を示す図である。また、図３、図４は、本発明の一実施例における日送り動作、及び月送り動作を説明するための図で、図３（ａ）は、大の月における日送り動作を示す図、図３（ｂ）は、小の月における３０日目以外の日送り動作を示す図、図３（ｃ）は、小の月における３０日目の日送り動作を示す図、図４（ａ）は、１日目以外における月送り動作を示す図、図４（ｂ）は、１日目における月送り動作を示す図である。以下、図１〜図４を参照し、本発明の一実施例について説明する。中央部には筒車３が設けられており、当該筒車３の回転は、日回し車４に伝えられ、回転軸９を中心として２４時間で１回転する様に減速されている。前記日回し車４の一部は、日板１に設けられた歯部１０を送る日送り爪１１となっており、日回し車４を含めプラスチック等の弾性部材で構成されている。また、前記日回し車４には月回し車１５が係合されており、日回し車４と同期して回転するように保持されている。この月回し車１５の一部は、月送り爪１５ａとなっており、先端部には月星車２の歯部１３を送るためのボス１５ｂが形成され、月回し車１５を含めプラスチック等の弾性部材で構成されている。ここでの構成の特徴としては、従来においては月送り爪１２のボス１２ａ先端部（１階層目）が１日目検出レバー８の月送り爪規制部８ｃ（１階層目）に接触することにより、月送り爪１２（４階層目）が撓まされて月送り爪１２の規制が行われ、月送り時には月送り爪１２の先端部（４階層目）が月星車２の歯部１３（４階層目）を送っていたのに対し、本発明では月送り爪１５ａの先端部（３階層目）が１日目検出レバー８の月送り爪規制部８ｃ（３階層目）に接触することにより、月送り爪１５ａ（３階層目）が撓まされて月送り爪１５ａの規制が行われ、月送り時には月送り爪１５ａのボス１５ｂ（４階層目）が月星車２の歯部１３（４階層目）を送るようになっている。
【００３３】
１６は裏板であり、時計中心部においては、筒車３の受け的役割を果たし、外周部においては、日板１に設けられた歯部１０の歯先部と接触して日板１の回転運動のガイドをしている。その他のところでは、日回し車４等を裏側で支持することにより、回転を安定させる役割を果たしている。また、日回し車４は、地板１７の長穴部１８にて軸支され、月回し車１５と共に日板押え１９にて軸方向が保持され、適当なガタを確保して回転負荷を低減する様になっている。前記日板押え１９は、その外周部にて日板１の内径部１ｄを押え、地板１７と共に日板１の断面方向の位置決めをする様になっている。また、裏板１６にはバックアップ部（不図示）が設けられており、日送り爪１１が日板１の歯部１０を送る際に日送り爪１１が外周方向に必要以上に開く事を抑えている。また、裏板１６は日板押え１９と共に１日目検出レバー８と月送り爪１５ａを断面的に保持し、適当なガタを確保して月送り爪１５ａの撓みが安定する様になっている。
【００３４】
月板１４に結合している月星車２は筒車３にて軸支されており、月板座２１を該筒車３に圧入する事で、月星車２は回転自由に筒車３に保持されるようになっている。２２は月躍制レバーであり、月星車２の歯部１３を押える事で月星車２の回転位置規制を行うと共に、月星車２の月送り時、及び月早修正時の回転作動時にそのバネ力にて補助的に回転を与えるようになっている。
【００３５】
２３は小月検出レバーであり、軸２３ａを中心として回動可能に軸支されている。小月検出レバー２３の一端である小月検出部２３ｂは、前記月星車２の歯底部２ａ、又は歯底部２ｂに係合している。歯底部２ａは、大の月、つまり１、３、５、７、８、１０、１２月に対応する部分であり、歯底部２ｂは、小の月、つまり２、４、６、９、１１月に対応する部分である。そして、歯底部２ｂは、歯底部２ａより深く切れ込んだ形状となっている。
【００３６】
また、前記小月検出レバー２３の他端は、日送り爪規制部２３ｃとなっており、日送り爪１１に設けられたボス１１ａと接触し、日送り爪１１を撓ませる事により日送り動作を規制する。更に、小月検出レバー２３の先端部は、３０日目検出部２３ｄとなっており、前記日板１の内径部１ａ、又は３０日目凹部１ｂに係合する。ここで、内径部１ａは３０日目以外に対応する部分であり、３０日目凹部１ｂは３０日目に対応する部分である。３０日検出部２３ｄは、通常、内径部１ａに係合しており、３０日目のみ３０日目凹部１ｂに係合する。また、小月検出レバー２３の日送り爪規制部２３ｃは、日板押え１９、月回し車４、地板１７と共に日送り爪１１を断面的に保持し、適当なガタを確保して日送り爪１１の撓みが安定する様になっている。
【００３７】
８は１日目検出レバーであり、軸８ａを中心として回動可能に軸支されている。１日目検出レバー８の一端である１日目検出部８ｂは、日板１の内径部１ｄ、又は１日目凹部１ｃに係合している。ここで、内径部１ｄは、１日目以外に対応する部分であり、１日目凹部１ｃは１日目に対応する部分である。１日検出部８ｂは、通常、内径部１ｄに係合しており、１日目のみ１日目凹部１ｃに係合する。また、前記１日目検出レバー８の他端は、月送り爪規制部８ｃとなっており、月送り爪１５ａの先端部と接触し、月送り爪１５ａを撓ませる事により月送り動作を規制する。
【００３８】
ここで、図３（ａ）を参照し、大の月における日送り動作について説明する。尚、基本的な日送り動作、及び後述する月送り動作に関しては、従来と同様である。大の月において、小月検出レバー２３の小月検出部２３ｂは、月星車２の歯底部２ａに接触している。歯底部２ａは、切れ込みが浅い形状をしており、その接触位置より小月検出レバー２３が右回りに回動する事はない。この時、小月検出レバー２３の他端である日送り爪規制部２３ｃは、図中の位置にあり、日送り爪１１を、ボス１１ａを介して日回し車４の回転軸９方向に撓ませる。これにより、日板１の前方の歯部１０ａは、日送り爪１１とは係合せず空送りされる事となり、後方の歯部１０ｂのみが送られる事となる。
【００３９】
前記のように小月検出レバー２３の先端部は、３０日目検出部２３ｄとなっており、小月検出レバー２３の一部が従来の３０日目検出レバー７の役割を担っている。日送り時には、前記３０日目検出部２３ｄが小月検出レバー２３の動作を規制するが、大の月においては日板１の内径部１ａ、及び３０日目凹部１ｂのどちらとも係合せず、日付による日送り動作の違いはない。言い換えると、日送り爪１１は、大の月の場合は全て、日付を１日分、つまり歯部を１歯しか送らない構成となっている。
【００４０】
次に、図３（ｂ）を参照し、小の月における３０日目以外の日送り動作について説明する。小の月においては、小月検出レバー２３の小月検出部２３ｂが月星車２の歯底部２ｂに接触している。歯底部２ｂは、歯底部２ａより深く切れ込んだ形状をしているため、その分小月検出レバー２３の右回りの回動範囲が広くなる。しかし、３０日目以外においては、小月検出レバー２３の３０日目検出部２３ｄが日板１の内径部１ａに接触しており、小月検出レバー２３は、それ以上右回りに回動しない様、日回し車４の回転軸９方向に規制されている。この状態では、小月検出部２３ｂは、歯底部２ｂに接触しておらず、小月検出レバー２３には、その分回動の余力が残っている。この時、小月検出レバー２３の他端である日送り爪規制部２３ｃは、図中の位置にあり、日送り爪１１を、ボス１１ａを介して日回し車４の回転軸９方向に撓ませている。これにより、日板１の前方の歯部１０ａは、日送り爪１１とは係合せず空送りされる事となり、後方の歯部１０ｂのみが送られる事となる。言い換えると、前記状態は、小月検出レバー２３の位置は異なるが、大の月と同様に日付を１日分、つまり歯部を１歯しか送らない構成となっている。
【００４１】
続いて、図３（ｃ）を参照し、小の月における３０日目の日送り動作について説明する。日板１の回転が進み、３０日目になると、前記小月検出レバー２３の３０日目検出部２３ｄが３０日目凹部１ｂに落ち込める状態となり、３０日目凹部１ｂの分だけ右回りの回動範囲が広くなる。この状態で日回し車４の回転が進み、小月検出レバー２３の日送り爪規制部２３ｃが日送り爪１１のボス１１ａに押されると、図中点線の位置から実線の位置に回動し、３０日目凹部１ｂに落ち込んだ状態（図中実線で示す状態）となり、３０日目検出部２３ｄが日板１の内径部１ａに接触する事で受けていた小月検出レバー２３に対する規制力が弱まる。これに伴い、小月検出レバー２３の日送り爪１１に対する規制力が弱まり、日送り爪１１の撓みが小さくなる。その結果、大の月、及び小の月の３０日目以外においては空送りしていた前方の歯部１０ａに日送り爪１１が係合し、日付を２日分、つまり歯部を２歯送る事となる。言い換えると、日送り爪１１は、小の月であり、尚且つ３０日目の場合においてのみ、歯部を２歯送る構成となっている。
【００４２】
次に、図４（ａ）を参照し、１日目以外における月送り動作について説明する。１日目以外において、１日目検出レバー８の一端である１日目検出部８ｂは、日板１の内径部１ｄに接触している。そのため、その接触位置より１日目検出レバー８が右回りに回動する事はない。この時、１日目検出レバー８の他端である月送り爪規制部８ｃは、図中の位置にあり、月送り爪１５ａ先端部が月送り爪規制部８ｃと接触する事で月送り爪１５ａを月回し車１５の回転軸９方向に撓ませる。これにより、月星車２の歯部１３は、月送り爪１５ａのボス１５ｂとは係合せず空送りされる事となる。言い換えると、月送り爪１５ａのボス１５ｂは、１日目以外の場合は全て、月星車２を送らない構成となっている。
【００４３】
次に、図４（ｂ）を参照し、１日目における月送り動作について説明する。１日目において、１日目検出レバー８の一端である１日目検出部８ｂは、日板１の１日目凹部１ｃに入り込める状態となっている。つまり、１日目検出レバー８は、１日目凹部１ｃの分だけ右回りの回動範囲が広くなり、月回し車１５の回転が進み、月送り爪１５ａの先端部に押されると図中の位置に回動する。これにより、１日目検出レバー８の月送り爪１５ａに対する規制力が弱まり、月送り爪１５ａの撓みが少なくなる。その結果、１日目以外においては空送りしていた月星車２の歯部１３に月送り爪１５ａのボス１５ｂが係合し、月星車２を１歯分送る事となる。言い換えると、月送り爪１５ａのボス１５ｂは、１日目の場合のみ月星車２を送る事で月表示が次月になる。
【００４４】
以上のように月送り動作においては、月送り爪１５ａのボス１５ｂは、１日目の場合のみ月星車２を送る事で月表示が次月となり、１日目以外の場合は月星車２を送らず月表示が変わらない構成となっている。
【００４５】
本発明の特徴をまとめると以下の通りである。まず、日送り動作に係わる主な構成を１階層目と２階層目にまとめて配置し、月送り動作に係わる主な構成を３階層目と４階層目にまとめて配置した事である。具体的には、１階層目に日送り爪１１、日板１の歯部１０、２階層目に日送り爪１１のボス１１ａ、小月検出レバー２３の３０日目検出部２３ｄおよび日送り爪規制部２３ｃ、日板１の３０日目凹部１ｂ、３階層目に月送り爪１５ａ、１日目検出レバー８の１日目検出部８ｂおよび月送り爪規制部８ｃ、日板１の１日目凹部１ｃ、４階層目に月送り爪１５ａのボス１５ｂ、月星車２の歯部１３、小月検出レバー２３の小月検出部２３ｂが配置されている。
【００４６】
また、従来技術においては、３０日目凹部１ｂ、及び１日目凹部１ｃは２階層目、つまり日板内径の同一周回上に形成されていたのに対し、本発明においては、日板１の歯部１０は１階層目、３０日目凹部１ｂは２階層目、１日目凹部１ｃは３階層目と、それぞれが異なる階層に形成されている。つまり、本発明に係わる日板の構造としては、内径上に３階層に渡り段階的な加工が施されている。
【００４７】
このように日板１の歯部１０、３０日目凹部１ｂ、及び１日目凹部１ｃがそれぞれ別々の階層に設けられているため、従来のように日送り動作、又は月送り動作が行われて日板１が回転する際に、３０日目検出レバー７の３０日目検出部７ｃ（本実施例においては小月検出レバー２３の３０日目検出部２３ｄ）が日板１の１日目凹部１ｃに落ち込んだり、それとは逆に１日目検出レバー８の１日目検出部８ｂが３０日目凹部１ｂに落ち込むことがなく、安定した日送り、月送り動作が行われる。
【００４８】
また、日送り動作時（特に１歯送り動作時）に、１階層目の日送り爪１１は、２階層目の小月検出レバー２３の日送り爪規制部２３ｃによりボス１１ａを介して撓ませられるが、１階層目の日送り爪１１を２階層目の小月検出レバー２３と裏板１６とで挟み込むようにしているため、日送り爪１１の捩れを防止し、日送り爪１１の撓み量を確保ことが出来る。
【００４９】
また、月送り爪１５ａのボス１５ｂを短く形成し、月送り爪１５ａとボス１５ｂ先端部との距離を縮め、更に３階層目の月送り爪１５ａを４階層目の日板押え１９と２階層目の裏板１６とで挟み込むようにしているため、月送り爪１５ａの捩れを防止し、月送り爪１５ａの撓み量を確保することが出来る。
【００５０】
本実施例では、３０日目の検出に小月検出レバー２３の先端部を３０日目検出部として用いたが、従来のように３０日目検出レバー７を設けてもよく、どちらの場合であっても本発明が特徴とする効果が得られる。
【００５１】
以上のように、本発明においては、日板の３０日目凹部１ｂを２階層目、１日目凹部１ｃを３階層目に形成しているため、従来のようにお互いの形成位置や形状等を特別考慮する必要がなく、３０日目検出動作、及び１日目検出動作それぞれの動作に最適かつ余裕を持った形成位置、形状にすることが出来る。
【図面の簡単な説明】
【００５２】
【図１】本発明の時計のカレンダー機構を示す平面図
【図２】本発明の時計のカレンダー機構を示す要部断面図で、（ａ）主に日送り動作に係わる構成を示す図、（ｂ）主に月送り動作に係わる構成を示すの図である。
【図３】本発明における日送り動作を説明するための図で、（ａ）大の月における日送り動作を示す図、（ｂ）小の月における３０日目以外の日送り動作を示す図、（ｃ）小の月における３０日目の日送り動作を示す図である。
【図４】本発明における月送り動作を説明するための図で、（ａ）１日目以外における月送り動作を示す図、（ｂ）１日目における月送り動作を示す図である。
【図５】従来の時計のカレンダー機構を示す図で、（ａ）平面図、（ｂ）要部断面図である。
【図６】従来の時計のカレンダー機構を示す要部拡大図で、（ａ）月送り爪の規制に関する構成と１日目の検出に関する構成を示す図、（ｂ）３０日目の検出に関する部分を示す図、（ｃ）１日目の検出に関する部分を示す図、（ｄ）月送りに関する部分を示す図、である。
【図７】従来の時計のカレンダー機構を示す図で、（ａ）大の月における日送り動作を示す図、（ｂ）小の月における日送り動作を示す図である。
【図８】従来の時計のカレンダー機構を示す図で、（ａ）１日目以外における月送り動作を示す図、（ｂ）１日目における月送り動作を示す図である。
【符号の説明】
【００５３】
１      日板
１ａ    日板の内径部
１ｂ    ３０日目検出用の凹部
１ｃ    １日目検出用の凹部
１ｄ    日板の内径部
２      月星車
３      筒車
４      日回し車
５      月回し車
６      小月検出レバー
６ａ    小月検出レバーの回動軸
６ｂ    小月検出部
６ｃ    日送り爪規制部
７      ３０日目検出レバー
７ａ    ３０日目検出レバーの回動軸
７ｂ    ３０日目検出部
７ｃ    小月検出レバー規制部
８      １日目検出レバー
８ａ    １日目検出レバーの回動軸
８ｂ    １日目検出部
８ｃ    月送り爪規制部
９      日回し車の回転軸
１０    日板の歯部
１０ａ  日板の歯部（１歯目）
１０ｂ  日板の歯部（２歯目）
１１    日送り爪
１１ａ  日送り爪のボス
１２    月送り爪
１２ａ  月送り爪のボス
１３    月星車の歯部
１４    月板
１５    月回し車
１５ａ  月送り爪
１５ｂ  月送り爪のボス
１６    裏板
１７    地板
１８    長穴部
１９    日板押え
２１    月板座
２２    月躍制レバー
２３    小月検出レバー
２３ａ  小月検出レバーの回動軸
２３ｂ  小月検出部
２３ｃ  日送り爪規制部
２３ｄ  ３０日目検出部
【図１】
2005195370.tif 000003
【図２】
2005195370.tif 000004
【図３】
2005195370.tif 000005
【図４】
2005195370.tif 000006
【図５】
2005195370.tif 000007
【図６】
2005195370.tif 000008
【図７】
2005195370.tif 000009
【図８】
2005195370.tif 000010